【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
ベースと、
底部壁面及び前部壁面を有するエンクロージャーであって、前記底部壁面に音響出力開口が形成され、前記前部壁面がフラットパネルディスプレイを含む、エンクロージャーと、
前記エンクロージャー内に配置されたスピーカであって、前記フラットパネルディスプレイの後ろに配置されたサウンド放射表面を有する、スピーカと、
前記エンクロージャーの前記底部壁面の前記音響出力開口に前記スピーカを接続する音響出力ダクトであって、前記音響出力ダクトは、平面と、前記平面に接続された側壁とを含み、前記スピーカから上流の位置に減衰チャンバーを有し、前記スピーカから下流の位置に出口ポートを有し、前記平面は、前記減衰チャンバーから前記出口ポートへ延長している、音響出力ダクトと、を備え、
前記エンクロージャーの前記底部壁面の前記音響出力開口は、前記ベースの底部から離間した位置に配置され、前記音響出力開口から放射されたサウンドは、前記ベースの前記底部と平行な面の方へ向けられる、電子オーディオ装置。
【請求項２】
前記スピーカから放射されるある周波数の音波を減衰するために前記減衰チャンバー内に位置された音響減衰材をさらに備える、請求項１に記載の電子オーディオ装置。
【請求項３】
前記平面の一部分は、前記減衰チャンバーを形成し、音響減衰材で作られる、請求項１に記載の電子オーディオ装置。
【請求項４】
前記音響出力ダクトは、前記平面に沿った開口を備え、前記スピーカは、前記開口内に位置する、請求項１に記載の電子オーディオ装置。
【請求項５】
前記平面及び前記側壁は、前記エンクロージャーの後部壁面に沿ってチャンネルを形成し、前記スピーカ及び前記減衰チャンバーは、前記チャンネルの前記平面に沿って位置する、請求項１に記載の電子オーディオ装置。
【請求項６】
前記減衰チャンバーは、チャンバー部分及びネック部分を備え、前記ネック部分は、前記チャンバー部分と前記スピーカの間にあり、前記ネック部分は、その中に位置する減衰材を備え、前記音響出力ダクトの第１の共振周波数を減衰するように、前記チャンバー部分より狭い断面寸法を有する、請求項１に記載の電子オーディオ装置。
【請求項７】
前記減衰チャンバーは、第１の減衰チャンバーであり、前記電子オーディオ装置は、さらに、第２のネック部分により前記音響出力ダクトに接続された第２の減衰チャンバーを備え、前記第２のネック部分は、前記音響出力ダクトの第２の共振周波数を減衰するように、前記第１の減衰チャンバーの前記ネック部分とは異なる断面寸法を有する、請求項６に記載の電子オーディオ装置。
【請求項８】
前記音響出力ダクト及び減衰チャンバーは、単一の一体成形された構造である、請求項１に記載の電子オーディオ装置。
【請求項９】
ベースと、
前部壁面、後部壁面及び底部壁面を有するエンクロージャーであって、前記前部壁面にフラットパネルディスプレイが取り付けられ、前記底部壁面に音響出力開口が形成されている、エンクロージャーと、
前記フラットパネルディスプレイと前記後部壁面との間の前記エンクロージャーの一部分に配置されたスピーカであって、前記スピーカは前記音響出力開口から離間している、スピーカと、
前記底部壁面に形成された前記音響出力開口に前記スピーカを音響的に結合する音響出力経路と、
前記音響出力経路の音響応答を減衰するために前記音響出力経路に接続された減衰チャンバーであって、前記減衰チャンバーは、前記フラットパネルディスプレイと前記後部壁面との間に配置され、前記減衰チャンバーと、前記底部壁面の前記音響出力開口との間の前記音響出力経路に沿って前記スピーカが配置されている、減衰チャンバーと、を備え、  前記音響出力経路は、平面と、前記平面に接続された側壁とを含み、前記平面は、前記減衰チャンバーから前記底部壁面内の前記音響出力開口へ延長しており、前記減衰チャンバーから前記底部壁面内の前記音響出力開口までの前記音響出力経路の長さは、その幅より大きく、
前記エンクロージャーの前記底部壁面内の前記音響出力開口は、前記ベースの底部から離間した位置に配置され、前記音響出力開口から放射されたサウンドは、前記ベースの前記底部の方へ向けられる、電子オーディオ装置。
【請求項１０】
前記減衰チャンバー内に位置された音響減衰材をさらに備える、請求項９に記載の電子オーディオ装置。
【請求項１１】
前記側壁は、前記平面と実質的に垂直であり、前記エンクロージャーの前記後部壁面まで前記音響出力経路を密閉する、請求項９に記載の電子オーディオ装置。
【請求項１２】
前記音響出力経路の前記平面は、その中に開口を有し、それを通じて前記スピーカのサウンド放射表面が前記音響出力経路に音響的に連結されている、請求項９に記載の電子オーディオ装置。
【請求項１３】
前記減衰チャンバーは、チャンバー部分と、減衰材が位置されたネック部分とを備え、前記ネック部分は、前記音響出力経路の第１の共振周波数を減衰する寸法を有する、請求項９に記載の電子オーディオ装置。
【請求項１４】
前記減衰チャンバーは、第１の減衰チャンバーであり、前記電子オーディオ装置は、さらに、前記音響出力経路の第２の共振周波数を減衰する寸法を有する第２の減衰チャンバーを備え、前記第１の減衰チャンバー及び前記第２の減衰チャンバーは、前記音響出力経路の側部から延長し、前記音響出力開口に対して軸外である、請求項１３に記載の電子オーディオ装置。
【請求項１５】
前記スピーカの前記サウンド放射表面は、前記フラットパネルディスプレイのスクリーン面と平行である、請求項１に記載の電子オーディオ装置。
【請求項１６】
前記音響出力ダクトの前記平面によって形成される平面は、前記エンクロージャーの前記底部壁面と交差している、請求項１に記載の電子オーディオ装置。
【請求項１７】
ベースと、
底部壁面及び前部壁面を有するエンクロージャーであって、前記エンクロージャーの前記底部壁面に音響出力開口が形成され、前記エンクロージャーの前記前部壁面がフラットパネルディスプレイを含む、エンクロージャーと、
前記エンクロージャー内に配置されたスピーカであって、前記フラットパネルディスプレイの後ろにサウンド放射表面を有する、スピーカと、
前記エンクロージャーの前記底部壁面の前記音響出力開口に前記スピーカを接続する音響出力ダクトであって、前記音響出力ダクトは、平面と、前記平面に接続された側壁とを含み、前記スピーカから上流の位置に減衰チャンバーを有し、前記スピーカから下流の位置に出口ポートを有し、前記平面は、前記減衰チャンバーから前記出口ポートへ延長している、音響出力ダクトと、を備え、
前記エンクロージャーの前記底部壁面の前記音響出力開口は、前記ベースの底部から離間した位置に配置され、前記スピーカによって放射されたサウンドは、前記音響出力ダクトの前記出口ポートの外に向けられ、前記エンクロージャーの前記底部壁面内の前記音響出力開口から、前記ベースの前記底部が載る表面の方へ向けられる、電子オーディオ装置。
【請求項１８】
前記スピーカの前記サウンド放射表面、及び前記音響出力ダクトの前記平面は、両方とも、前記フラットパネルディスプレイのスクリーン面と平行である、請求項１７に記載の電子オーディオ装置。
【請求項１９】
前記エンクロージャーはフレームを備え、前記スピーカは前記フレーム内に配置される、請求項１８に記載の電子オーディオ装置。
【請求項２０】
前記フレームはプラスティック製である、請求項１９に記載の電子オーディオ装置。
【請求項２１】
前記音響出力ダクトの外側に、前記スピーカが組み込まれるフレームをさらに備える、請求項１７に記載の電子オーディオ装置。
【請求項２２】
前記フレームはプラスティック製である、請求項２１に記載の電子オーディオ装置。
【請求項２３】
前記エンクロージャーはフレームを備え、前記音響出力ダクトの前記平面は、前記スピーカが組み込まれる前記フレームの側部によって形成される、請求項１７に記載の電子オーディオ装置。
【請求項２４】
前記フレームはプラスティック製である、請求項２３に記載の電子オーディオ装置。
【請求項２５】
前記音響出力ダクトの外側に、前記スピーカが組み込まれるプラスティックフレームをさらに備える、請求項１７に記載の電子オーディオ装置。
【請求項２６】
前記音響出力ダクトの前記平面に沿って形成された開口内に前記スピーカが取り付けられている、請求項１７に記載の電子オーディオ装置。
【請求項２７】
前記音響出力ダクトの前記平面は開口を有し、前記開口を通じて、前記スピーカの前記サウンド放射表面が前記音響出力ダクトに音響的に連結され、前記音響出力ダクトの前記出力ポートは、前記エンクロージャーの前記底部壁面に形成された前記音響出力開口と一直線になっている、請求項１７に記載の電子オーディオ装置。
【請求項２８】
前記サウンドが放射される前記サウンド放射表面は、前記フラットパネルディスプレイのスクリーン面に対して反対方向を向いている、請求項１７に記載の電子オーディオ装置。
【請求項２９】
前記音響出力ダクトの前記平面によって形成される平面は、前記エンクロージャーの前記底部壁面と交差している、請求項１７に記載の電子オーディオ装置。
【手続補正２】
【補正対象書類名】明細書
【補正対象項目名】発明の名称
【補正方法】変更
【補正の内容】
【発明の名称】電子オーディオ装置